(57)【要約】      （修正有）【課題】施工現場での加工作業の工程を省き、廃材の発生をなくすと共に施工効率を向上させる石膏部材を提供する。【解決手段】石膏ボード１はコンクリート層２が打設される波型形状のデッキプレート３とこのプレートが設置される下地部４との間の空間部を塞ぐ板状の石膏部材である。石膏ボード１の上面１０はデッキプレート３の凸面３１,凹面３２の形状に対応するように加工する。さらに、該石膏ボードの上面の四辺を面取り加工する。【選択図】図１
0003156602.tif 000002
【実用新案登録請求の範囲】
【請求項１】
コンクリート層が打設される波型形状の鋼材とこの鋼材が設置される下地部との間の空間部を塞ぐ石膏部材であって、
その上面が前記鋼材の凹凸面の形状に対応するように加工されたこと
を特徴とする石膏部材。
【請求項２】
コンクリート層が打設される波型形状の鋼材とこの鋼材が設置される下地部との間の空間部を塞ぐ板状の石膏部材であって、
前記鋼材と対向する上面が前記鋼材の凹凸面の形状に対応するように加工されたこと
を特徴とする石膏部材。
【請求項３】
壁部に下地材として設置される石膏部材であって、
その上面の四辺が面取り加工されたこと
を特徴とする石膏部材。
【請求項４】
壁部に下地材として設置される板状の石膏部材であって、
その上面の四辺は面取り加工されたこと
を特徴とする石膏部材。
【考案の詳細な説明】
【技術分野】
【０００１】
本考案は壁部や梁部の耐火、補強、下張り等に供される石膏部材に関する。
【背景技術】
【０００２】
壁部や梁部の耐火や補強の対策として、下地の壁部や梁部に波型形状の鋼材であるデッキプレートを配置し、このプレートが埋設されるようにコンクリート層を打設すると共に前記プレートと前記下地との空間部を耐火性の部材で塞ぐようにしている（特許文献１）。
【０００３】
また、壁部の耐火、補強、下張り等の目的として、板状の石膏部材を下地材として前記壁部の表面に固定させる方法が採られている（特許文献２）。
【先行技術文献】
【特許文献】
【０００４】
【特許文献１】特開２００６−３２８８２１号公報
【特許文献２】特開２００３−２５３８０７号公報
【考案の概要】
【考案が解決しようとする課題】
【０００５】
しかしながら、特許文献１の耐火性の部材はデッキプレートの凸部の形状に合わせるように当該部材を施工現場にて加工する作業が必要である。
【０００６】
また、特許文献２の石膏部材はその上面の長辺部分は製造ラインで面取り加工がなされているが、同上面の短辺部分は面取り加工が施されていないので、施工現場での加工が必要となる。すなわち、従来の石膏部材は壁部の表面に縦列配置するとき、互いに向き合う短辺の高さをほぼ同等に調整するために、施工現場にて当該石膏部材の上面の短辺部分をボードやヤスリ等で面取りしなければならなかった。
【０００７】
以上のように従来の石膏部材は施工現場での加工作業が必要であり、施工効率が悪いことに加えて加工作業によって廃材が発生してしまう。
【課題を解決するための手段】
【０００８】
そこで、本考案の石膏部材は、コンクリート層が打設される波型形状の鋼材とこの鋼材が設置される下地部との間の空間部を塞ぐ石膏部材であって、その上面が前記鋼材の凹凸面の形状に対応するように加工されている。
【０００９】
本考案は、コンクリート層が打設される波型形状の鋼材とこの鋼材が設置される下地部との間の空間部を塞ぐ板状の石膏部材であって、前記鋼材と対向する上面が前記鋼材の凹凸面の形状に対応するように加工されている。
【００１０】
本考案の石膏部材は、壁部に下地材として設置される石膏部材であって、その上面の四辺が面取り加工されている。
【００１１】
本考案の石膏部材は、壁部に下地材として設置される板状の石膏部材であって、その上面の四辺は面取り加工されている。
【考案の効果】
【００１２】
したがって、以上の考案によれば、施工現場での加工作業の工程が省かれ、廃材が生じなくなると共に施工効率が向上する。
【図面の簡単な説明】
【００１３】
【図１】本考案の第一の実施形態に係る耐火ボードの設置形態の説明図。
【図２】本考案の第二の実施形態に係る耐火ボード。
【考案を実施するための形態】
【００１４】
以下、本考案の実施形態について図面を参照しながら説明する。
【００１５】
図１に示された本考案の実施形態に係る石膏ボード１は、壁部や梁部の耐火に供される石膏部材であって、コンクリート層２が打設されるデッキプレート３と下地部４との間に配置される。
【００１６】
石膏ボード１は石膏成分からなる板状の石膏部材がデッキプレート３の形状に対応するように予め加工されている。尚、前記石膏部材としては、特許文献２に開示された石膏ボードや、チヨダウーテ製の石膏ボード（ＧＢ−Ｒ  ｔ＝９．５  ｔ＝１２．５）、硬質石膏ボード（ＧＢ−ＲＨ  ｔ＝９．５  ｔ＝１２．５）、強化石膏ボード（ＧＢ−Ｆ  ｔ＝１２．５  ｔ＝１５  ｔ＝２１）等が例示される。
【００１７】
デッキプレート３は一般的に壁部や梁部の補強部材として用いられている鋼材であって、図１に例示されたような凸面３１と凹面３２が交互に繰り返すように形成された波型形状を成している。
【００１８】
本実施形態に係る石膏ボード１は、デッキプレート３と対向する上面１０がデッキプレート３の凹凸面の形状に対応するように加工されている。すなわち、石膏ボード１は、より具体的には図１に示した通り、デッキプレート３の凸面３１,凹面３２の形状と対応するように、その短辺方向の断面の形状が凸形となるように上面１０が加工されている。
【００１９】
図１を参照しながら石膏ボード１の施工例について説明する。先ず、壁部や鉄骨梁等の下地部４の面上に、石膏ボード１がデッキプレート３の凸面３１の配列に合わせて配置され、接着剤またはビスによって固定される。次いで、デッキプレート３の凹面３２が下地部４の面に図示省略のボルト等の固定具によって固定される。この際、デッキプレート３と下地部４との隙間に無機質充填材が適宜に充填される。そして、このデッキプレート３上にコンクリリート層２が打設される。
【００２０】
以上の説明から明らかなように石膏ボード１は、デッキプレート２の形状に対応して成型されているので、施工現場での加工作業が必要でなくなる。したがって、施工現場での廃材が生じなくなると共に施工効率が向上する。
【００２１】
図２に示された本考案の第二の実施形態に係る石膏ボード５は、天井壁や腰壁等の耐火、補強、下張り等の目的で下地材として用いられる板状の石膏部材であって、その上面の四辺が予め面取り加工されている。
【００２２】
石膏ボード５は石膏成分を主成分とする板状の石膏基材からなる。当該基材としては特許文献２に開示された石膏ボードや上述のチヨダウーテ製の石膏ボード等が例示される。尚、耐火ボード５が天井壁や腰壁に適用される場合は、上面にメラミン樹脂、フッ素樹脂、アクリル樹脂などの硬質樹脂からなる保護層やオレフィン系樹脂や、紙、不織布などの素材からなる化粧層が適宜に積層される。
【００２３】
石膏ボード５は例えば特開２００６−５６１４０の製造方法によって成型すればよい。面取り工程では、石膏ボード５の上面の長辺が所定の角度で糸きり面取りによって面取り部５１が形成された後に、前記上面の短辺が所定の角度で裁断によって面取りされることで面取り部５２が形成される。
【００２４】
石膏ボード５は施工にあたり下張り材を介して接着剤や釘などの固定具によって天井壁や腰壁等の下地部の表面に固定される。複数の耐火ボード５は各端面が互いに当接するように前記下地部の表面に縦列的及び横列的に配置されて固定される。
【００２５】
従来の石膏ボードは、下地部の表面に固定するにあたり、施工現場にて当該耐火ボードの上面の短辺部分をボードやヤスリ等で面取りしなければならなかった。
【００２６】
これに対して、石膏ボード５はその上面の四辺が予め面取り加工されているので、下地部への固定時に上述の面取りの作業が必要でなくなる。したがって、施工現場での廃材が生じなくなると共に施工効率が向上する。
【符号の説明】
【００２７】
１，５…石膏ボード（石膏部材）
２…コンクリート層
３…デッキプレート（鋼材）、３１…凸面、３２…凹面
４…下地部
１０…上面
５１，５２…面取り部
【図１】
0003156602.tif 000003
【図２】
0003156602.tif 000004
【手続補正書】
【提出日】平成21年8月10日(2009.8.10)
【手続補正１】
【補正対象書類名】明細書
【補正対象項目名】全文
【補正方法】変更
【補正の内容】
【考案の詳細な説明】
【技術分野】
【０００１】
本考案は壁部や梁部の耐火、補強、下張り等に供される石膏部材に関する。
【背景技術】
【０００２】
壁部の耐火、補強、下張り等の目的として、板状の石膏部材を下地材として前記壁部の表面に固定させる方法が採られている（特許文献１）。
【先行技術文献】
【特許文献】
【０００３】
【特許文献１】特開２００３−２５３８０７号公報
【考案の概要】
【考案が解決しようとする課題】
【０００４】
しかしながら、特許文献１の石膏部材はその上面の長辺部分は製造ラインで面取り加工がなされているが、同上面の短辺部分は面取り加工が施されていないので、施工現場での加工が必要となる。すなわち、従来の石膏部材は壁部の表面に縦列配置するとき、互いに向き合う短辺の高さをほぼ同等に調整するために、施工現場にて当該石膏部材の上面の短辺部分をボードやヤスリ等で面取りしなければならなかった。
【０００５】
以上のように従来の石膏部材は施工現場での加工作業が必要であり、施工効率が悪いことに加えて加工作業によって廃材が発生してしまう。
【課題を解決するための手段】
【０００６】
そこで、本考案の石膏部材は、壁部に下地材として設置される石膏部材であって、その上面の四辺が面取り加工されている。
【０００７】
本考案の石膏部材は、壁部に下地材として設置される板状の石膏部材であって、その上面の四辺は面取り加工されている。
【考案の効果】
【０００８】
したがって、以上の考案によれば、施工現場での加工作業の工程が省かれ、廃材が生じなくなると共に施工効率が向上する。
【図面の簡単な説明】
【０００９】
【図１】本考案の第一の実施形態に係る耐火ボードの設置形態の説明図。
【図２】本考案の第二の実施形態に係る耐火ボード。
【考案を実施するための形態】
【００１０】
以下、本考案の実施形態について図面を参照しながら説明する。
【００１１】
図１に示された本考案の実施形態に係る石膏ボード１は、壁部や梁部の耐火に供される石膏部材であって、コンクリート層２が打設されるデッキプレート３と下地部４との間に配置される。
【００１２】
石膏ボード１は石膏成分からなる板状の石膏部材がデッキプレート３の形状に対応するように予め加工されている。尚、前記石膏部材としては、特許文献１に開示された石膏ボード等が例示される。
【００１３】
デッキプレート３は一般的に壁部や梁部の補強部材として用いられている鋼材であって、図１に例示されたような凸面３１と凹面３２が交互に繰り返すように形成された波型形状を成している。
【００１４】
本実施形態に係る石膏ボード１は、デッキプレート３と対向する上面１０がデッキプレート３の凹凸面の形状に対応するように加工されている。すなわち、石膏ボード１は、より具体的には図１に示した通り、デッキプレート３の凸面３１,凹面３２の形状と対応するように、その短辺方向の断面の形状が凸形となるように上面１０が加工されている。
【００１５】
図１を参照しながら石膏ボード１の施工例について説明する。先ず、壁部や鉄骨梁等の下地部４の面上に、石膏ボード１がデッキプレート３の凸面３１の配列に合わせて配置され、接着剤またはビスによって固定される。次いで、デッキプレート３の凹面３２が下地部４の面に図示省略のボルト等の固定具によって固定される。この際、デッキプレート３と下地部４との隙間に無機質充填材が適宜に充填される。そして、このデッキプレート３上にコンクリリート層２が打設される。
【００１６】
以上の説明から明らかなように石膏ボード１は、デッキプレート２の形状に対応して成型されているので、施工現場での加工作業が必要でなくなる。したがって、施工現場での廃材が生じなくなると共に施工効率が向上する。
【００１７】
図２に示された本考案の第二の実施形態に係る石膏ボード５は、天井壁や腰壁等の耐火、補強、下張り等の目的で下地材として用いられる板状の石膏部材であって、その上面の四辺が予め面取り加工されている。
【００１８】
石膏ボード５は石膏成分を主成分とする板状の石膏基材からなる。当該基材としては特許文献１に開示された石膏ボード等が例示される。尚、耐火ボード５が天井壁や腰壁に適用される場合は、上面にメラミン樹脂、フッ素樹脂、アクリル樹脂などの硬質樹脂からなる保護層やオレフィン系樹脂や、紙、不織布などの素材からなる化粧層が適宜に積層される。
【００１９】
石膏ボード５は例えば特開２００６−５６１４０の製造方法によって成型すればよい。面取り工程では、石膏ボード５の上面の長辺が所定の角度で糸きり面取りによって面取り部５１が形成された後に、前記上面の短辺が所定の角度で裁断によって面取りされることで面取り部５２が形成される。
【００２０】
石膏ボード５は施工にあたり下張り材を介して接着剤や釘などの固定具によって天井壁や腰壁等の下地部の表面に固定される。複数の耐火ボード５は各端面が互いに当接するように前記下地部の表面に縦列的及び横列的に配置されて固定される。
【００２１】
従来の石膏ボードは、下地部の表面に固定するにあたり、施工現場にて当該耐火ボードの上面の短辺部分をボードやヤスリ等で面取りしなければならなかった。
【００２２】
これに対して、石膏ボード５はその上面の四辺が予め面取り加工されているので、下地部への固定時に上述の面取りの作業が必要でなくなる。したがって、施工現場での廃材が生じなくなると共に施工効率が向上する。
【符号の説明】
【００２３】
１，５…石膏ボード（石膏部材）
２…コンクリート層
３…デッキプレート（鋼材）、３１…凸面、３２…凹面
４…下地部
１０…上面
５１，５２…面取り部
【手続補正２】
【補正対象書類名】実用新案登録請求の範囲
【補正対象項目名】全文
【補正方法】変更
【補正の内容】
【実用新案登録請求の範囲】
【請求項１】
壁部に下地材として設置される石膏部材であって、
その上面の四辺が面取り加工されたこと
を特徴とする石膏部材。
【請求項２】
壁部に下地材として設置される板状の石膏部材であって、
その上面の四辺は面取り加工されたこと
を特徴とする石膏部材。
【手続補正書】
【提出日】平成21年11月9日(2009.11.9)
【手続補正１】
【補正対象書類名】明細書
【補正対象項目名】０００６
【補正方法】変更
【補正の内容】
【０００６】
そこで、本考案の石膏部材は、壁部に下地材として設置される板状の石膏部材であって、その四角状に形成された上面の四辺は面取り加工されている。
【手続補正２】
【補正対象書類名】明細書
【補正対象項目名】０００７
【補正方法】削除
【補正の内容】
【手続補正３】
【補正対象書類名】明細書
【補正対象項目名】００１７
【補正方法】変更
【補正の内容】
【００１７】
図２に示された本考案の第二の実施形態に係る石膏ボード５は、天井壁や腰壁等の耐火、補強、下張り等の目的で下地材として用いられる板状の石膏部材であって、その四角状に形成された上面の四辺が予め面取り加工されている。
【手続補正４】
【補正対象書類名】明細書
【補正対象項目名】００１９
【補正方法】変更
【補正の内容】
【００１９】
石膏ボード５は例えば特開２００６−５６１４０の製造方法によって成型すればよい。図２に示したように、面取り工程では、石膏ボード５の四角形状の上面の長辺が所定の角度で糸きり面取りによって面取り部５１が形成された後に、前記上面の短辺が所定の角度で裁断によって面取りされることで面取り部５２が形成される。
【手続補正５】
【補正対象書類名】実用新案登録請求の範囲
【補正対象項目名】全文
【補正方法】変更
【補正の内容】
【実用新案登録請求の範囲】
【請求項１】
壁部に下地材として設置される板状の石膏部材であって、
その四角状に形成された上面の四辺は面取り加工されたこと
を特徴とする石膏部材。